(57)【要約】【課題】コストアップを伴うことなく、簡単な構成で光の出射方向を意図する方向に一致させることができるとともに、取付器具に簡単に装着することができる直管型照明装置を提供すること。【解決手段】複数のＬＥＤ（発光素子）２を実装して成る基板３を透明又は半透明の円筒パイプ５内に収容するとともに、電極ピン９を備える口金８を前記円筒パイプ５の長手方向両端にそれぞれ被着して成る直管型照明装置１において、前記円筒パイプ５の長手方向両端外周に円筒状のエンドカラー６をそれぞれ嵌着し、各エンドカラー６の外周に前記口金８をそれぞれ回動可能に凹凸嵌合する。【選択図】図１
2014044795.tif 000002
【特許請求の範囲】
【請求項１】
複数の発光素子を実装して成る基板を透明又は半透明の円筒パイプ内に収容するとともに、電極ピンを備える口金を前記円筒パイプの長手方向両端にそれぞれ被着して成る直管型照明装置において、
前記円筒パイプの長手方向両端外周に円筒状のエンドカラーをそれぞれ嵌着し、各エンドカラーの外周に前記口金をそれぞれ回動可能に凹凸嵌合したことを特徴とする直管型照明装置。
【請求項２】
前記エンドカラーの外周の周方向２箇所に係合突起を長手方向にずらして突設し、前記口金の内周の周方向２箇所に２つの係合溝を係合長手方向にずらして且つ周方向にオーバーラップ指せて形成し、該係合溝に前記刑法突起を係合させて前記円筒パイプを口金に対して±９０°以上の角度だけ回動可能としたことを特徴とする請求項１記載の直管型照明装置。
【請求項３】
前記エンドカラーと前記口金との嵌合部にシールリングを介装したことを特徴とする請求項１又は２記載の直管型照明装置。
【発明の詳細な説明】
【技術分野】
【０００１】
本発明は、長手方向両端が口金によって封止された円筒パイプの内部に光源である複数の発光素子を収容して成る直管型照明装置に関するものである。
【背景技術】
【０００２】
直管型照明装置は、複数の発光素子を実装して成る基板を透明又は半透明の円筒パイプ内に収容するとともに、通電用端子を備える口金を円筒パイプの長手方向両端にそれぞれ被着して構成されるが、指向性の強い光を出射するＬＥＤ（発光ダイオード）等の発光素子を使用する直管方照明装置においては、その口金のソケットに対する取付位置が問題となる。
【０００３】
即ち、直管型照明装置を、その長手方向両端の口金に備えられた電極ピンを取付器具のソケットに形成さえたピン孔に差し込んで取り付ける場合、ソケットのピン孔の位置によっては光が意図した方向とは異なる方向に照射されるという問題が発生する。
【０００４】
そこで、特許文献１には、円筒パイプと口金とを相互に軸方向回りに所定角度だけ回動可能に構成する提案がなされている。これによれば、ＬＥＤ等が発する指向性の強い光の出射方向を意図する方向に一致させることができる。
【０００５】
又、特許文献２には、取付具の種類に応じて、取付器具に適合する予め用意された口金に交換することによって、ＬＥＤが発する指向性の強い光の出射方向を意図する方向に一致させるようにした構成が提案されている。
【先行技術文献】
【特許文献】
【０００６】
【特許文献１】実用新案登録第３０９７５８０号公報
【特許文献２】特開２００９−０４３４４７号公報
【発明の概要】
【発明が解決しようとする課題】
【０００７】
しかしながら、特許文献１において提案された構成では、円筒パイプと口金とを固定する手段が設けられていないため、取付危惧に照明装置を装着するときに円筒パイプと口金とが相対回転し、口金の電極ピンの方向がずれてしまい、照明装置を取付器具に取り付けづらい他、円筒パイプと口金との接続部から水が内部に浸入する可能性があるという問題がある。
【０００８】
又、特許文献２において提案された構成では、電極ピンの位置が異なる口金を取付具の種類の数だけ予め用意しておく必要があるため、コストアップを免れないという問題がある。
【０００９】
本発明は上記問題に鑑みてなされたもので、その目的とする処は、コストアップを伴うことなく、簡単な構成で光の出射方向を意図する方向に一致させることができるとともに、取付器具に簡単に装着することができる直管型照明装置を提供することにある。
【課題を解決するための手段】
【００１０】
上記目的を達成するため、請求項１記載の発明は、複数の発光素子を実装して成る基板を透明又は半透明の円筒パイプ内に収容するとともに、電極ピンを備える口金を前記円筒パイプの長手方向両端にそれぞれ被着して成る直管型照明装置において、前記円筒パイプの長手方向両端外周に円筒状のエンドカラーをそれぞれ嵌着し、各エンドカラーの外周に前記口金をそれぞれ回動可能に凹凸嵌合したことを特徴とする。
【００１１】
請求項２記載の発明は、請求項１記載の発明において、前記エンドカラーの外周の周方向２箇所に係合突起を長手方向にずらして突設し、前記口金の内周の周方向２箇所に２つの係合溝を係合長手方向にずらして且つ周方向にオーバーラップさせて形成し、該係合溝に前記係合突起を係合させて前記円筒パイプを口金に対して±９０°以上の角度だけ回動可能としたことを特徴とする。
【００１２】
請求項３記載の発明は、請求項１又は２記載の発明において、前記エンドカラーと前記口金との嵌合部にシールリングを介装したことを特徴とする。
【発明の効果】
【００１３】
請求項１記載の発明によれば、円筒パイプの長手方向両端外周に嵌着された円筒状のエンドカラーの外周に口金をそれぞれ回動可能に凹凸嵌合したため、直管型照明装置を取付器具に取り付けた状態で、円筒パイプをエンドカラーと共に回動させることによって、該円筒パイプ内に収容された発光素子からの光の出射方向を意図する方向に一致させることができる。又、種類の異なる複数の口金を予め用意しておく必要がないため、構造の単純化とコストダウンを図ることができる。又、直管型照明装置を取付器具に取り付ける際に円筒パイプ及びエンドカラーと口金とが相対回転することがないため、直管型照明装置を取付器具に簡単に取り付けることができる。更に、エンドカラーと口金とを凹凸嵌合によって接合したため、口金の脱落を確実に防ぐことができる。
【００１４】
請求項２記載の発明によれば、口金の内周に形成された係合溝にエンドカラーの外周に突設された係合突起を係合させて円筒パイプを口金に対して±９０°以上の角度だけ回動可能に構成したため、発光素子からの光の出射方向を意図する方向に容易に一致させることができる。
【００１５】
請求項３記載の発明によれば、エンドカラーと口金との嵌合部に介装されたシールリングのシール作用によって円筒パイプ内への水の浸入を確実に防ぐことができる。
【図面の簡単な説明】
【００１６】
【図１】本発明に係る直管型照明装置の長手方向端部の断面図である。
【図２】本発明に係る直管型照明装置のエンドカラーと口金の分解斜視図である。
【発明を実施するための形態】
【００１７】
以下に本発明の実施の形態を添付図面に基づいて説明する。
【００１８】
図１は本発明に係る直管型照明装置の長手方向端部の断面図、図２は同直管型照明装置のエンドカラーと口金の分解斜視図であり、図示の直管型照明装置１においては、発光素子である複数のＬＥＤ２を実装して成る長手方向（図１の左右方向）に細長い基板３と点灯用電源４が透明又は半透明の円筒パイプ５内に収容されている。
【００１９】
上記円筒パイプ５は、ポリカーボネート樹脂等の光透過性樹脂にて円筒状に一体成形されており、その長手方向両端部（図１には一端部のみ図示）の外周には、ポリカーボネート樹脂等の光不透過性樹脂によって円筒状に一体成形されたエンドカラー６が接着剤７によってそれぞれ嵌着されている。そして、各エンドカラー６の外周には、ポリプロピレン等の比較的柔らかい光不透過性樹脂によって有底円筒状に一体成形された口金８が回転可能に嵌合されている。ここで、各口金８には、金属製の２本の電極ピン９が挿通保持されており、これらの電極ピン９の口金８の内部に突出する端部には平板状の電極板１０が取り付けられている。そして、この電極板１０に取り付けられたカプラー１１には、前記点灯用電源４から延びる２本電源コード１２の端部に結着されたカプラー１３が接続されている。尚、図１は直管型照明装置１の長手方向一端のみの構成を示すが、長手方向他端の構成も一端部のそれと同じであるため、これについての図示及び説明は省略する。
【００２０】
ところで、図２に示すように、エンドカラー６の外周の周方向２箇所には長さの短いリブ状の係合突起６ａが長手方向（軸方向）にずらして突設されており、口金８の内周の周方向２箇所には、該口金８の内周長の１／２以上の長さの２つの係合溝８ａが長手方向（軸方向）にずらして且つ周方向にオーバーラップして形成されている。そして、図１に示すように、口金８の内周に形成された係合溝８ａにエンドカラー６の外周に形成された係合突起６ａが係合することによって、エンドカラー６と円筒パイプ５が口金８に対して±９０°以上の角度だけ回動することができるよう構成されている。そして、本実施の形態では、図１に示すように、エンドカラー６と口金８との嵌合部にはＯリング等のシールリング１４が介装されている。
【００２１】
而して、本実施の形態に係る直管型照明装置１によれば、円筒パイプ５の長手方向両端外周に嵌着された円筒状のエンドカラー６の外周に口金８をそれぞれ回動可能に凹凸嵌合したため、直管型照明装置１を不図示の取付器具に取り付けた状態で、円筒パイプ５をエンドカラー６と共に回動させることによって、該円筒パイプ５内に収容された複数のＬＥＤ２からの光の出射方向を意図する方向に一致させることができる。従って、種類の異なる複数の口金を予め用意しておく必要がなく、構造の単純化とコストダウンを図ることができる。特に、本実施の径庭では、口金８の内周の形成された係合溝８ａにエンドカラー６の外周に突設された係合突起６ａを係合させて円筒パイプ５を口金８に対して±９０°以上の角度だけ回動可能に構成したため、ＬＥＤ２からの光の出射方向を意図する方向に容易に一致させることができる。
【００２２】
又、直管型照明装置１を取付器具に取り付ける際に円筒パイプ５及びエンドカラー６と口金８とが相対回転することがないため、直管型照明装置１を取付器具に簡単に取り付けることができる。そして、エンドカラー６と口金８とを凹凸嵌合によって接合したため、口金８の脱落を確実に防ぐことができる。
【００２３】
又、本実施の形態に係る直管型照明装置１においては、エンドカラー６と口金８との嵌合部にシールリング１４を介装したため、このシールリング１４のシール作用によって円筒パイプ５内への水の浸入が確実に防がれるという効果が得られる。
【符号の説明】
【００２４】
１      直管型照明装置
２      ＬＥＤ（発光素子）
３      基板
４      点灯用電源
５      円筒パイプ
６      エンドカラー
６ａ    エンドカラーの係合突起
７      接着剤
８      口金
８ａ    口金の係合溝
９      電極ピン
１０    電極板
１１    カプラー
１２    電源コード
１３    カプラー
１４    シールリング
【図１】
2014044795.tif 000003
【図２】
2014044795.tif 000004